(57)【要約】【課題】ＵＨＦ帯の放送波とＶＨＦ帯の放送波の間で、受信対象の放送波を簡単に切り替えることができる携帯端末を得ることを目的とする。【解決手段】ＴＶ受信機１１がＵＨＦ帯の放送波を受信する際には接続状態切替回路２０を制御して、リモコン線１５と右側イヤーピース線１６及び左側イヤーピース線１８を切り離し、ＴＶ受信機１１がＶＨＦ帯の放送波を受信する際には接続状態切替回路２０を制御して、リモコン線１５と右側イヤーピース線１６及び左側イヤーピース線１８を繋げる。【選択図】図１
2007312015.tif 000002
【特許請求の範囲】
【請求項１】
ＶＨＦ帯及びＵＨＦ帯の電波を受信する機能を有する受信機の電波入力端子に接続され、ＵＨＦ帯のアンテナ長を有する第１の電線と、ＶＨＦ帯のアンテナ長からＵＨＦ帯のアンテナ長を差し引いたアンテナ長を有する第２の電線と、上記第１の電線と上記第２の電線間に挿入され、上記第１の電線と上記第２の電線間の接続状態を切り替える接続状態切替手段と、上記受信機がＵＨＦ帯の電波を受信する際には上記接続状態切替手段を制御して、上記第１の電線と上記第２の電線を切り離し、上記受信機がＶＨＦ帯の電波を受信する際には上記接続状態切替手段を制御して、上記第１の電線と上記第２の電線を繋げる制御手段とを備えた共用アンテナ。
【請求項２】
制御手段は、抵抗値が変化する可変抵抗部材を用いて接続状態切替手段が構成されている場合、受信機がＵＨＦ帯の電波を受信する際には上記接続状態切替手段の抵抗値を高抵抗値に設定して、第１の電線と第２の電線間の接続状態を等価的に切り離し、上記受信機がＶＨＦ帯の電波を受信する際には上記接続状態切替手段の抵抗値を低抵抗値に設定して、上記第１の電線と上記第２の電線間の接続状態を等価的に繋げることを特徴とする請求項１記載の共用アンテナ。
【請求項３】
制御手段は、受信機がＵＨＦ帯の電波を受信する際には上記受信機の電波入力端子に電圧を印加せず、上記受信機がＶＨＦ帯の電波を受信する際には上記受信機の電波入力端子に電圧を印加することを特徴とする請求項２記載の共用アンテナ。
【請求項４】
ＶＨＦ帯及びＵＨＦ帯の電波を受信する機能を有する受信機と、上記受信機の電波入力端子に接続され、ＵＨＦ帯のアンテナ長を有する第１の電線と、ＶＨＦ帯のアンテナ長からＵＨＦ帯のアンテナ長を差し引いたアンテナ長を有する第２の電線と、上記第１の電線と上記第２の電線間に挿入され、上記第１の電線と上記第２の電線間の接続状態を切り替える接続状態切替手段と、上記受信機がＵＨＦ帯の電波を受信する際には上記接続状態切替手段を制御して、上記第１の電線と上記第２の電線を切り離し、上記受信機がＶＨＦ帯の電波を受信する際には上記接続状態切替手段を制御して、上記第１の電線と上記第２の電線を繋げる制御手段とを備えた携帯端末。
【請求項５】
第１の電線がＵＨＦメランダアンテナであり、第２の電線がＶＨＦ−ＵＨＦメランダアンテナであることを特徴とする請求項４記載の携帯端末。
【発明の詳細な説明】
【技術分野】
【０００１】
この発明は、ＶＨＦ帯及びＵＨＦ帯の放送波を受信する機能を有するＴＶ受信機に取り付けられる共用アンテナと、ＶＨＦ帯及びＵＨＦ帯の放送波を受信する機能を有するＴＶ受信機を搭載している携帯端末とに関するものである。
【背景技術】
【０００２】
近年の携帯端末には、ＶＨＦ帯及びＵＨＦ帯の放送波を受信する機能を有するＴＶ受信機を搭載しているものがある。
ＴＶ受信機がＶＨＦ帯の放送波を受信する場合には、携帯端末に接続されるイヤホン等をＶＨＦアンテナとして使用する構成になっている。
また、ＴＶ受信機がＵＨＦ帯の放送波を受信する場合には、携帯端末に内蔵されているメランダアンテナや、携帯端末の外部に付属するロットアンテナをＵＨＦアンテナとして使用する構成になっている。
【０００３】
したがって、例えば、携帯端末のＴＶ受信機がＵＨＦ帯の放送波を受信している状態から、ＶＨＦ帯の放送波を受信する状態に切り替える場合、ＶＨＦアンテナを携帯端末に取り付ける必要があり、使用者の利便性が問題になる。
また、ＵＨＦ帯のアンテナとＶＨＦ帯のアンテナの両方を具備する必要があり、携帯端末の価格の上昇や携帯端末の形状が大きくなるなどの問題もある。
【０００４】
なお、携帯端末に取り付けられるものではなく、家屋の屋根に設置される共用アンテナではあるが、ダイポールに複数個のＬＣ回路を対設することによってダイポールの方位を可変にし、また、そのダイポールの上下・後部に導波器・反射器を組み込むことにより、ＶＨＦ帯の放送波とＵＨＦ帯の放送波を受信することが可能なものが開発されている（例えば、特許文献１を参照）。
特許文献１に開示されている共用アンテナは、大型のアンテナであるため、言うまでもないが、携帯端末には取り付けることができない。
【０００５】
【特許文献１】特開平７−２７３５３１号公報（段落番号［０００４］、図１）
【発明の開示】
【発明が解決しようとする課題】
【０００６】
従来の携帯端末は以上のように構成されているので、例えば、ＴＶ受信機がＵＨＦ帯の放送波を受信している状態から、ＶＨＦ帯の放送波を受信する状態に切り替える場合、ＶＨＦアンテナを取り付ける必要があり、使用者の利便性が損なわれる課題があった。また、ＵＨＦ帯のアンテナとＶＨＦ帯のアンテナの両方を具備する必要があり、価格の上昇や大型化を招くなどの課題があった。
【０００７】
この発明は上記のような課題を解決するためになされたもので、ＵＨＦ帯の放送波とＶＨＦ帯の放送波の受信に利用することができる共用アンテナを得ることを目的とする。
また、この発明は、小型の共用アンテナを搭載することによって、ＵＨＦ帯の放送波とＶＨＦ帯の放送波の間で、受信対象の放送波を簡単に切り替えることができる携帯端末を得ることを目的とする。
【課題を解決するための手段】
【０００８】
この発明に係る携帯端末は、ＵＨＦ帯のアンテナ長を有する第１の電線と、ＶＨＦ帯のアンテナ長からＵＨＦ帯のアンテナ長を差し引いたアンテナ長を有する第２の電線との間に挿入され、第１の電線と第２の電線間の接続状態を切り替える接続状態切替手段を設け、受信機がＵＨＦ帯の電波を受信する際には接続状態切替手段を制御して、第１の電線と第２の電線を切り離し、受信機がＶＨＦ帯の電波を受信する際には接続状態切替手段を制御して、第１の電線と第２の電線を繋げるようにしたものである。
【発明の効果】
【０００９】
この発明によれば、ＵＨＦ帯のアンテナ長を有する第１の電線と、ＶＨＦ帯のアンテナ長からＵＨＦ帯のアンテナ長を差し引いたアンテナ長を有する第２の電線との間に挿入され、第１の電線と第２の電線間の接続状態を切り替える接続状態切替手段を設け、受信機がＵＨＦ帯の電波を受信する際には接続状態切替手段を制御して、第１の電線と第２の電線を切り離し、受信機がＶＨＦ帯の電波を受信する際には接続状態切替手段を制御して、第１の電線と第２の電線を繋げるように構成したので、ＵＨＦ帯の放送波とＶＨＦ帯の放送波の間で、受信対象の放送波を簡単に切り替えることができる効果がある。また、ＵＨＦ帯のアンテナとＶＨＦ帯のアンテナの両方を具備する必要がないため、価格の上昇や大型化を抑制することができる効果がある。
【発明を実施するための最良の形態】
【００１０】
実施の形態１．
図１はこの発明の実施の形態１による携帯端末及び共用アンテナを示す構成図であり、図において、携帯端末１はＴＶ受信機１１を実装している携帯電話機などの端末である。
共用アンテナ２は携帯端末１に取り付けられ、ＴＶ受信機１１がＵＨＦ帯又はＶＨＦ帯の放送波を受信する際に利用される。
ＴＶ受信機１１は例えば地上デジタル放送の受信機であり、ＶＨＦ帯及びＵＨＦ帯の放送波（電波）を受信する機能を有している。
【００１１】
無線信号線１２は一端がＴＶ受信機１１に接続され、他端が携帯端末１のイヤホン用コネクタ１３（電波入力端子）に接続されている。
第１の電線であるリモコン線１５は一端がイヤホンコネクタ１４に接続され、ＵＨＦ帯のアンテナ長を有している。
なお、無線信号線１２とリモコン線１５は、イヤホン用コネクタ１３及びイヤホンコネクタ１４を介して電気的に接続されている。
【００１２】
第２の電線である右側イヤーピース線１６は一端が接続状態切替回路２０に接続され、他端が右側イヤーピース１７に接続されており、ＶＨＦ帯のアンテナ長からＵＨＦ帯のアンテナ長を差し引いたアンテナ長を有している。
第２の電線である左側イヤーピース線１８は一端が接続状態切替回路２０に接続され、他端が左側イヤーピース１９に接続されており、ＶＨＦ帯のアンテナ長からＵＨＦ帯のアンテナ長を差し引いたアンテナ長を有している。
【００１３】
接続状態切替回路２０はリモコン線１５と右側イヤーピース線１６及び左側イヤーピース線１８間に挿入され、リモコン線１５と右側イヤーピース線１６及び左側イヤーピース線１８間の接続状態を切り替える回路である。なお、接続状態切替回路２０は接続状態切替手段を構成している。
接続状態切替回路２０のｐｉｎダイオード２０ａはアノード側にＤＣ電圧が印加されると抵抗値が低抵抗値になり、アノード側にＤＣ電圧が印加されない場合には抵抗値が高抵抗値になる可変抵抗部材である。
なお、ｐｉｎダイオード２０ａのカソード側には、チョークコイル２０ｂ、抵抗２０ｃ及びパスコン２０ｄが接続され、アノード側には抵抗２０ｅが接続されている。
図１では、可変抵抗部材としてｐｉｎダイオード２０ａを用いる例を示しているが、抵抗値が可変する部材であれば、ｐｉｎダイオード２０ａに限るものではなく、他の部材を用いてもよい。
【００１４】
アンテナ切替制御回路２１はＴＶ受信機１１がＵＨＦ帯の放送波を受信する際には接続状態切替回路２０を制御して、リモコン線１５と右側イヤーピース線１６及び左側イヤーピース線１８を切り離し、ＴＶ受信機１１がＶＨＦ帯の放送波を受信する際には接続状態切替回路２０を制御して、リモコン線１５と右側イヤーピース線１６及び左側イヤーピース線１８を繋げる回路である。
即ち、アンテナ切替制御回路２１はＴＶ受信機１１がＵＨＦ帯の放送波を受信する際にはＤＣ電圧をｐｉｎダイオード２０ａのアノード側に印加しないようにして、リモコン線１５と右側イヤーピース線１６及び左側イヤーピース線１８間の接続状態を等価的に切り離し、ＴＶ受信機１１がＶＨＦ帯の放送波を受信する際にはＤＣ電圧をｐｉｎダイオード２０ａのアノード側に印加して、リモコン線１５と右側イヤーピース線１６及び左側イヤーピース線１８間の接続状態を等価的に繋げる回路である。
アンテナ切替制御回路２１は、ＤＣ電源２１ａ、抵抗２１ｂ、チョークコイル２１ｃ、スイッチ２１ｄ及びパスコン２１ｅから構成されており、ＴＶ受信機１１がＶＨＦ帯の放送波を受信する際にスイッチ２１がＯＮになり、ＴＶ受信機１１がＵＨＦ帯の放送波を受信する際にスイッチ２１がＯＦＦになる。
なお、アンテナ切替制御回路２１は制御手段を構成している。
【００１５】
図１では、本特許に係る要素のみを開示し、例えば無線通信部やキー操作部など、通常、携帯端末１が実装している要素を省略しているが、実際には、無線通信部やキー操作部などを実装している。
【００１６】
次に動作について説明する。
例えば、ユーザがＵＨＦ帯のテレビ放送を視聴する場合、アンテナ切替制御回路２１のスイッチ２１をＯＦＦ状態に設定する。
この場合、アンテナ切替制御回路２１のＤＣ電源２１ａと抵抗２１ｂの間が非接続になるため、接続状態切替回路２０のｐｉｎダイオード２０ａのアノード側にはＤＣ電圧が印加されない状態になる。
【００１７】
このため、接続状態切替回路２０のｐｉｎダイオード２０ａの抵抗値が高抵抗値になり、リモコン線１５と右側イヤーピース線１６及び左側イヤーピース線１８間の接続状態が等価的に切り離された状態になる。
これにより、携帯端末１のＴＶ受信機１１には、ＵＨＦ帯のアンテナ長を有しているリモコン線１５のみが接続されている状態と等価になる。
このため、携帯端末１のＴＶ受信機１１では、ＵＨＦ帯の放送波の受信が可能になる。
【００１８】
一方、ユーザがＶＨＦ帯のテレビ放送を視聴する場合、アンテナ切替制御回路２１のスイッチ２１をＯＮ状態に設定する。
この場合、アンテナ切替制御回路２１のＤＣ電源２１ａと抵抗２１ｂの間が接続されるため、接続状態切替回路２０のｐｉｎダイオード２０ａのアノード側にＤＣ電圧が印加される状態になる。
【００１９】
このため、接続状態切替回路２０のｐｉｎダイオード２０ａの抵抗値が低抵抗値になり、リモコン線１５と右側イヤーピース線１６及び左側イヤーピース線１８間の接続状態が等価的に繋がれた状態になる。
これにより、携帯端末１のＴＶ受信機１１には、ＶＨＦ帯のアンテナ長を有している電線が接続されている状態と等価になる。
即ち、携帯端末１のＴＶ受信機１１には、ＵＨＦ帯のアンテナ長を有しているリモコン線１５と、ＶＨＦ帯のアンテナ長からＵＨＦ帯のアンテナ長を差し引いたアンテナ長を有している右側イヤーピース線１６とが接続されている状態と等価になり、また、ＵＨＦ帯のアンテナ長を有しているリモコン線１５と、ＶＨＦ帯のアンテナ長からＵＨＦ帯のアンテナ長を差し引いたアンテナ長を有している左側イヤーピース線１８とが接続されている状態と等価になる。
このため、携帯端末１のＴＶ受信機１１では、ＶＨＦ帯の放送波の受信が可能になる。
【００２０】
以上で明らかなように、この実施の形態１によれば、ＵＨＦ帯のアンテナ長を有するリモコン線１５と、ＶＨＦ帯のアンテナ長からＵＨＦ帯のアンテナ長を差し引いたアンテナ長を有する右側イヤーピース線１６及び左側イヤーピース線１８との間に挿入され、リモコン線１５と右側イヤーピース線１６及び左側イヤーピース線１８間の接続状態を切り替える接続状態切替回路２０を設け、ＴＶ受信機１１がＵＨＦ帯の放送波を受信する際には接続状態切替回路２０を制御して、リモコン線１５と右側イヤーピース線１６及び左側イヤーピース線１８を切り離し、ＴＶ受信機１１がＶＨＦ帯の放送波を受信する際には接続状態切替回路２０を制御して、リモコン線１５と右側イヤーピース線１６及び左側イヤーピース線１８を繋げるように構成したので、ＵＨＦ帯の放送波とＶＨＦ帯の放送波の間で、受信対象の放送波を簡単に切り替えることができる効果を奏する。
また、共用アンテナ２がＵＨＦ帯のアンテナとＶＨＦ帯のアンテナを兼ねるため、ＵＨＦ帯のアンテナとＶＨＦ帯のアンテナを別個に搭載する必要がなく、価格の上昇や大型化を抑制することができる効果を奏する。
【００２１】
実施の形態２．
図２はこの発明の実施の形態２による携帯端末を示す構成図であり、図において、図１と同一符号は同一または相当部分を示すので説明を省略する。
第１の電線であるＵＨＦメランダアンテナ２２は一端が無線信号線１２に接続され、他端が接続状態切替回路２０に接続されており、ＵＨＦ帯のアンテナ長を有している。
第２の電線であるＶＨＦ−ＵＨＦメランダアンテナ２３は一端が接続状態切替回路２０に接続され、ＶＨＦ帯のアンテナ長からＵＨＦ帯のアンテナ長を差し引いたアンテナ長を有している。
【００２２】
次に動作について説明する。
例えば、ユーザがＵＨＦ帯のテレビ放送を視聴する場合、アンテナ切替制御回路２１のスイッチ２１をＯＦＦ状態に設定する。
この場合、アンテナ切替制御回路２１のＤＣ電源２１ａと抵抗２１ｂの間が非接続になるため、接続状態切替回路２０のｐｉｎダイオード２０ａのアノード側にはＤＣ電圧が印加されない状態になる。
【００２３】
このため、接続状態切替回路２０のｐｉｎダイオード２０ａの抵抗値が高抵抗値になり、ＵＨＦメランダアンテナ２２とＶＨＦ−ＵＨＦメランダアンテナ２３間の接続状態が等価的に切り離された状態になる。
これにより、携帯端末１のＴＶ受信機１１には、ＵＨＦ帯のアンテナ長を有しているＵＨＦメランダアンテナ２２のみが接続されている状態と等価になる。
このため、携帯端末１のＴＶ受信機１１では、ＵＨＦ帯の放送波の受信が可能になる。
【００２４】
一方、ユーザがＶＨＦ帯のテレビ放送を視聴する場合、アンテナ切替制御回路２１のスイッチ２１をＯＮ状態に設定する。
この場合、アンテナ切替制御回路２１のＤＣ電源２１ａと抵抗２１ｂの間が接続されるため、接続状態切替回路２０のｐｉｎダイオード２０ａのアノード側にＤＣ電圧が印加される状態になる。
【００２５】
このため、接続状態切替回路２０のｐｉｎダイオード２０ａの抵抗値が低抵抗値になり、ＵＨＦメランダアンテナ２２とＶＨＦ−ＵＨＦメランダアンテナ２３間の接続状態が等価的に繋がれた状態になる。
これにより、携帯端末１のＴＶ受信機１１には、ＶＨＦ帯のアンテナ長を有している電線が接続されている状態と等価になる。
即ち、携帯端末１のＴＶ受信機１１には、ＵＨＦ帯のアンテナ長を有しているＵＨＦメランダアンテナ２２と、ＶＨＦ帯のアンテナ長からＵＨＦ帯のアンテナ長を差し引いたアンテナ長を有しているＶＨＦ−ＵＨＦメランダアンテナ２３とが接続されている状態と等価になる。
このため、携帯端末１のＴＶ受信機１１では、ＶＨＦ帯の放送波の受信が可能になる。
【００２６】
以上で明らかなように、この実施の形態１によれば、ＵＨＦ帯のアンテナ長を有するＵＨＦメランダアンテナ２２と、ＶＨＦ帯のアンテナ長からＵＨＦ帯のアンテナ長を差し引いたアンテナ長を有するＶＨＦ−ＵＨＦメランダアンテナ２３との間に挿入され、ＵＨＦメランダアンテナ２２とＶＨＦ−ＵＨＦメランダアンテナ２３間の接続状態を切り替える接続状態切替回路２０を設け、ＴＶ受信機１１がＵＨＦ帯の放送波を受信する際には接続状態切替回路２０を制御して、ＵＨＦメランダアンテナ２２とＶＨＦ−ＵＨＦメランダアンテナ２３を切り離し、ＴＶ受信機１１がＶＨＦ帯の放送波を受信する際には接続状態切替回路２０を制御して、ＵＨＦメランダアンテナ２２とＶＨＦ−ＵＨＦメランダアンテナ２３を繋げるように構成したので、ＵＨＦ帯の放送波とＶＨＦ帯の放送波の間で、受信対象の放送波を簡単に切り替えることができる効果を奏する。
【図面の簡単な説明】
【００２７】
【図１】この発明の実施の形態１による携帯端末及び共用アンテナを示す構成図である。
【図２】この発明の実施の形態２による携帯端末を示す構成図である。
【符号の説明】
【００２８】
１  携帯端末、２  共用アンテナ、１１  ＴＶ受信機、１２  無線信号線、１３  イヤホン用コネクタ（電波入力端子）、１４  イヤホンコネクタ、１５  リモコン線（第１の電線）、１６  右側イヤーピース線（第２の電線）、１７  右側イヤーピース、１８  左側イヤーピース線（第２の電線）、１９  左側イヤーピース、２０  接続状態切替回路（接続状態切替手段）、２０ａ  ｐｉｎダイオード（可変抵抗部材）、２０ｂ  チョークコイル、２０ｃ  抵抗、２０ｄ  パスコン、２０ｅ  抵抗、２１  アンテナ切替制御回路（制御手段）、２１ａ  ＤＣ電源、２１ｂ  抵抗、２１ｃ  チョークコイル、２１ｄ  スイッチ、２１ｅ  パスコン、２２  ＵＨＦメランダアンテナ（第１の電線）、２３  ＶＨＦ−ＵＨＦメランダアンテナ（第２の電線）。
【図１】
2007312015.tif 000003
【図２】
2007312015.tif 000004